(57)【要約】【構成】映像モニタ１４は、広告映像をモニタ画面に表示する。カメラ１２は、モニタ画面の前方の被写界を表す画像を繰り返し出力する。制御装置１８は、モニタ画面に表示された広告映像を鑑賞する１または２以上の人物をカメラ１２から出力された画像を参照して探索し、これによって発見された１または２以上の人物をモニタ画面に表示された広告映像の終了時刻まで追跡する。制御装置１８はまた、追跡結果に応じて異なるグレードを有するクーポンを追跡された１または２以上の人物の各々に対して発行する。【効果】広告映像を鑑賞する人物の振る舞いを考慮した適応的なクーポン発行が実現され、広告効果の増大が図られる。【選択図】図２
2011118186.tif 000002
【特許請求の範囲】
【請求項１】
広告映像をモニタ画面に表示する表示手段、
前記モニタ画面の前方の被写界を表す画像を繰り返し出力する撮像手段、
前記表示手段によって表示された広告映像を鑑賞する１または２以上の人物を前記撮像手段から出力された画像を参照して探索する探索手段、
前記探索手段によって発見された１または２以上の人物を前記表示手段によって表示された広告映像の提供時間帯の基準時刻まで追跡する追跡手段、および
前記追跡手段の追跡結果に応じて異なるグレードを有するクーポンを前記追跡手段によって注目された１または２以上の人物の各々に対して発行する発行手段を備える、クーポン配信装置。
【請求項２】
前記追跡手段の追跡結果は追跡時間をパラメータとして含み、
前記発行手段は前記追跡時間が長いほど前記グレードを高くするグレード調整手段を含む、請求項１記載のクーポン配信装置。
【請求項３】
前記基準時刻は前記広告映像の終了時刻に相当する、請求項１または２記載のクーポン配信装置。
【請求項４】
前記追跡手段は前記１または２以上の人物の各々の属性を分類する分類手段を含み、
前記発行手段は前記分類手段によって分類された属性に対応するクーポンを共通グレードに属する複数のクーポンの中から選択するクーポン選択手段を含む、請求項１ないし３のいずれかに記載のクーポン配信装置。
【請求項５】
前記追跡手段は前記探索手段によって発見された１または２以上の人物にそれぞれ対応する１または２以上の特徴を記憶する記憶手段を含み、
前記発行手段は、クーポン受取操作を行った人物の特徴と符合する特徴を前記記憶手段によって記憶された１または２以上の特徴の中から探索する特徴探索手段、および前記特徴探索手段の探索結果に基づいて前記クーポン受取操作を行った人物の追跡結果を特定する追跡結果特定手段を含む、請求項１ないし４のいずれかに記載のクーポン配信装置。
【請求項６】
前記基準時刻が到来したとき前記追跡手段によって追跡された１または２以上の人物の中から既定条件を満足する人物を特定する人物特定手段、および
前記人物特定手段によって特定された人物の位置に対応してクーポン発行案内を前記モニタ画面に表示する案内表示手段をさらに備える、請求項１ないし５のいずれかに記載のクーポン配信装置。
【発明の詳細な説明】
【技術分野】
【０００１】
この発明は、クーポン配信装置に関し、特にモニタ画面に表示された映像コンテンツを鑑賞する人物に対してクーポンを配信する、クーポン配信装置に関する。
【背景技術】
【０００２】
この種の装置の一例が、特許文献１に開示されている。この背景技術によれば、広告代理店から依頼された広告コンテンツは、広告映像配信サービス会社に設置されたメイン配信サーバと広告宣伝が行われる場所に設置されたローカル配信サーバとを介して、広告宣伝が行われる場所に設置された広告表示用タッチモニタ端末に配信される。顧客が広告表示用タッチモニタ端末を操作して割引クーポン券を発行すると、広告主の店舗に設置された店舗内タッチモニタ端末と広告表示用タッチモニタ端末との間の双方向通信が、ローカル配信サーバおよびメイン配信サーバを介して実行される。
【先行技術文献】
【特許文献】
【０００３】
【特許文献１】特開２００５−１１４９８１号公報
【発明の概要】
【発明が解決しようとする課題】
【０００４】
しかし、割引クーポン券は広告表示用タッチモニタ端末の操作に応答して発行され、割引クーポン券の内容が適応的に変更されることはない。このため、背景技術では広告効果に限界がある。
【０００５】
それゆえに、この発明の主たる目的は、広告効果を増大させることができる、クーポン配信装置を提供することである。
【課題を解決するための手段】
【０００６】
この発明に従うクーポン配信装置(10：実施例で相当する参照符号。以下同じ)は、広告映像をモニタ画面に表示する表示手段(14)、モニタ画面の前方の被写界を表す画像を繰り返し出力する撮像手段(12)、表示手段によって表示された広告映像を鑑賞する１または２以上の人物を撮像手段から出力された画像を参照して探索する探索手段(S7)、探索手段によって発見された１または２以上の人物を表示手段によって表示された広告映像の提供時間帯の基準時刻まで追跡する追跡手段(S11~S23, S27~S35)、および追跡手段の追跡結果に応じて異なるグレードを有するクーポンを追跡手段によって注目された１または２以上の人物の各々に対して発行する発行手段(S43, S49~S71)を備える。
【０００７】
好ましくは、追跡手段の追跡結果は追跡時間をパラメータとして含み、発行手段は追跡時間が長いほどクレードを高くするグレード調整手段(S55~S65)を含む。
【０００８】
好ましくは、基準時刻は広告映像の終了時刻に相当する。
【０００９】
好ましくは、追跡手段は１または２以上の人物の各々の属性を分類する分類手段(S23)を含み、発行手段は分類手段によって分類された属性に対応するクーポンを共通グレードに属する複数のクーポンの中から選択するクーポン選択手段(S69)を含む。
【００１０】
好ましくは、追跡手段は探索手段によって発見された１または２以上の人物にそれぞれ対応する１または２以上の特徴を記憶する記憶手段(S21)を含み、発行手段は、クーポン受取操作を行った人物の特徴と符合する特徴を記憶手段によって記憶された１または２以上の特徴の中から探索する特徴探索手段(S51)、および特徴探索手段の探索結果に基づいてクーポン受取操作を行った人物の追跡結果を特定する追跡結果特定手段(S55)を含む。
【００１１】
好ましくは、基準時刻が到来したとき追跡手段によって追跡された１または２以上の人物の中から既定条件を満足する人物を特定する人物特定手段(S81)、および人物特定手段によって特定された人物の位置に対応してクーポン発行案内をモニタ画面に表示する案内表示手段(S83)がさらに備えられる。
【発明の効果】
【００１２】
この発明によれば、モニタ画面に表示された広告映像を鑑賞する人物が発見されると、発見された人物は広告映像の提供時間帯の基準時刻まで追跡される。追跡された人物に対して発行されるクーポンの内容は、追跡結果に応じて異なる内容を有する。これによって、広告映像を鑑賞する人物の振る舞いを考慮した適応的なクーポン発行が実現され、広告効果の増大が図られる。
【００１３】
この発明の上述の目的，その他の目的，特徴および利点は、図面を参照して行う以下の実施例の詳細な説明から一層明らかとなろう。
【図面の簡単な説明】
【００１４】
【図１】この発明の基本的構成を示すブロック図である。
【図２】この発明の一実施例の構成を示すブロック図である。
【図３】図２実施例の動作の一部を示す図解図である。
【図４】図２実施例によって作成されるテーブルの一例を示す図解図である。
【図５】図２実施例の動作の他の一部を示す図解図である。
【図６】図２実施例によって作成されるテーブルの他の一例を示す図解図である。
【図７】図２実施例に適用される制御装置の動作の一部を示すフロー図である。
【図８】図２実施例に適用される制御装置の動作の他の一部を示すフロー図である。
【図９】図２実施例に適用される制御装置の動作のその他の一部を示すフロー図である。
【図１０】図２実施例に適用される制御装置の動作のさらにその他の一部を示すフロー図である。
【図１１】図２実施例に適用される制御装置の動作の他の一部を示すフロー図である。
【発明を実施するための形態】
【００１５】
以下、この発明の実施の形態を図面を参照しながら説明する。
［基本的構成］
【００１６】
図１を参照して、この発明のクーポン配信装置は、基本的に次のように構成される。表示手段１は、広告映像をモニタ画面に表示する。撮像手段２は、モニタ画面の前方の被写界を表す画像を繰り返し出力する。探索手段３は、表示手段１によって表示された広告映像を鑑賞する１または２以上の人物を撮像手段２から出力された画像を参照して探索する。追跡手段４は、探索手段３によって発見された１または２以上の人物を表示手段１によって表示された広告映像の提供時間帯の基準時刻まで追跡する。発行手段５は、追跡手段４の追跡結果に応じて異なるグレードを有するクーポンを追跡手段によって注目された１または２以上の人物の各々に対して発行する。
【００１７】
モニタ画面に表示された広告映像を鑑賞する人物が発見されると、発見された人物は広告映像の提供時間帯の基準時刻まで追跡される。追跡された人物に対して発行されるクーポンの内容は、追跡結果に応じて異なる内容を有する。これによって、広告映像を鑑賞する人物の振る舞いを考慮した適応的なクーポン発行が実現され、広告効果の増大が図られる。
［実施例］
【００１８】
図２を参照して、この実施例のクーポン配信装置１０は、映像モニタ１４を含む。制御装置１８は、周期的な動きを示す映像広告を映像モニタ１４に設けられたモニタ画面１４ｍに表示する。１周期の動きの開始時刻が広告の提供開始時刻に相当し、１周期の動きの終了時刻が広告の提供終了時刻に相当する。たとえば、映像広告の１周期は２分であり、映像広告は１分の休止期間をおいて繰り返し提供される。
【００１９】
なお、映像広告が周期的な変化を示す音声を伴う場合、映像広告は静的であってもよい。この場合、１周期の音声変化の開始時刻が広告の提供開始時刻に相当し、１周期の音声変化の終了時刻が広告の提供終了時刻に相当する。
【００２０】
カメラ１２は、モニタ画面１４ｍの前方の被写界を捉える撮像面を有し、撮像面で生成された被写界像を表す画像データを繰り返し発生する垂直同期信号Ｖｓｙｎｃに応答して出力する。出力された画像データは、制御装置１８に与えられる。モニタ画面に表示された広告映像を鑑賞する人物は、広告の提供開始時刻から提供終了時刻までの期間に、制御装置１８によって以下の要領で追跡される。
【００２１】
まず、テーブルＴＢＬ１（後述）を構成するカラムを識別するための変数Ｋが、広告映像の提供開始に応答して“０”に設定される。次に、モニタ画面１４の前方に存在する人物の顔が、カメラ１２から出力された画像データに基づいて探索される。少なくとも１つの顔が発見されると、発見された顔の数が最大値ＦＣｍａｘに設定される。図３に示すように人物Ｍ１がモニタ画面１４ｍに表示された映像広告を鑑賞する場合、最大値ＦＣｍａｘは“１”に設定される。また、図５に示すように人物Ｍ１およびＭ２がモニタ画面１４ｍに表示された映像広告を鑑賞する場合、最大値ＦＣｍａｘは“２”に設定される。
【００２２】
続いて、変数ＦＣが“１”〜“ＦＣｍａｘ”の各々に設定され、ＦＣ番目の顔が新規の人物の顔であるか否かが数値毎に判別され、そして判別結果に応じて異なる処理が以下の要領で実行される。なお、この判別処理では、テーブルＴＢＬ１に記述された人物の顔特徴が参照される。
【００２３】
ＦＣ番目の顔が新規に発見された顔であれば、変数Ｋがインクリメントされ、ＦＣ番目の顔を有する人物の鑑賞時間（＝１），ＦＣ番目の顔の特徴，およびＦＣ番目の顔を有する人物の属性（男ｏｒ女）がテーブルＴＢＬ１のＫ番目のカラムに記述される。
【００２４】
記述が完了すると、“広告終了後にクーポンを配信します”の案内がたとえば３秒間にわたって映像モニタ１４に表示される。映像モニタ１４の前方に初めて現われた人物は、映像広告を鑑賞すればクーポンを取得できることをこの案内によって認識する。
【００２５】
一方、ＦＣ番目の顔がテーブルＴＢＬ１に登録済みの人物の顔であれば、ＦＣ番目の顔に対応するカラムがテーブルＴＢＬ１から特定され、特定されたカラムに記述された鑑賞時間がインクリメントされる。
【００２６】
このような顔探索からテーブル記述までの一連の処理は、映像広告が提供される期間に繰り返し実行される。したがって、映像広告の開始後にまず人物Ｍ１がモニタ画面１４ｍの前方に現れ、かつ人物Ｍ１が男性であれば、人物Ｍ１の鑑賞時間（＝１），人物Ｍ１の顔の特徴，および人物Ｍ１の属性（＝男）が図４に示す要領でテーブルＴＢＬ１の１番目のカラムに記述される。１番目のカラムに記述された鑑賞時間は、人物Ｍ１の顔が認識される限りインクリメントされる。
【００２７】
人物Ｍ１が映像広告を鑑賞している途中で人物Ｍ２がモニタ画面１４ｍの前方に現れ、かつ人物Ｍ２が女性であれば、人物Ｍ２の鑑賞時間（＝１），人物Ｍ２の顔の特徴，および人物Ｍ２の属性（＝女）が図６に示す要領でテーブルＴＢＬ１の２番目のカラムに記述される。２番目のカラムに記述された鑑賞時間もまた、人物Ｍ２の顔が認識される限りインクリメントされる。
【００２８】
映像広告の提供が終了すると、鑑賞時間が最も長い人物の見易い位置に“クーポンをこれから配信します”とのクーポン発行案内が表示される。上述の要領で現れた人物Ｍ１およびＭ２が映像広告を最後まで鑑賞した場合、クーポン発行案内は人物Ｍ１の見易い位置に表示される。
【００２９】
続いて、クーポンの配信期間をクーポン配信案内から３０秒の期間に限定するべく、タイマＴＭ１のリセット＆スタートが実行される。タイマＴＭ１は３０秒でタイムアウトとなるタイマであり、テーブルＴＢＬ１の記述はタイマＴＭ１のタイムアウトによってクリアされる。
【００３０】
クーポン配信案内から３０秒が経過するまでの期間にクーポン発生器１６に対してクーポン受け取り操作が行われると、クーポン受け取り操作を行った人物の顔特徴がカメラ１２から出力された画像データに基づいて検出される。
【００３１】
検出された顔特徴に共通する顔特徴は、テーブルＴＢＬ１から探索される。共通の顔特徴がテーブルＴＢＬ１から発見されなければ、クーポン受け取り操作を行った人物は映像広告を鑑賞していない人物とみなされ、クーポン受け取り操作が無効とされる。一方、共通の顔特徴がテーブルＴＢＬ１から発見されれば、クーポン受け取り操作を行った操作者に対してクーポンを配信するべく、操作者の鑑賞時間がテーブルＴＢＬ１から検出される。
【００３２】
検出された鑑賞時間は、閾値ＴＨ１および／またはＴＨ２と比較される。ここで、閾値ＴＨ１およびＴＨ２の間には、ＴＨ１＞ＴＨ２の関係が成立する。発行されるクーポンのグレードは、鑑賞時間が閾値ＴＨ１を上回るとき“Ａ”に設定され、鑑賞時間が閾値ＴＨ１以下でかつ閾値ＴＨ２を上回るとき“Ｂ”に設定され、そして鑑賞時間が閾値ＴＨ２以下のとき“Ｃ”に設定される。
【００３３】
グレード設定が完了すると、クーポン受け取り操作を行った操作者の属性がテーブルＴＢＬ１から検出され、検出された属性に対応するクーポンが共通グレードの中から選択される。たとえば、クーポンのグレードが“Ａ”に設定された場合において、操作者の属性が“男”であれば、グレードＡを有する複数のクーポンの中から男性向けのクーポンが選択される。
【００３４】
選択されたクーポンは、操作者が所持するＩＣカード２０（図１参照）に配信される。配信が完了すると、操作者に対応するカラムの記述がクリアされる。これによって、同じ操作者による２回目以降のクーポン配信操作が無効とされる。
【００３５】
制御装置１８は、クーポンを発行するために、図７〜図１１に示すフロー図に従う処理を実行する。なお、このフロー図に対応する制御プログラムは、図示しないフラッシュメモリに記憶される。
【００３６】
図７を参照して、ステップＳ１では映像モニタ１４を通じた広告映像の提供が開始されたか否かを判別する。判別結果がＮＯからＹＥＳに更新されると、ステップＳ３で変数Ｋを“０”に設定し、垂直同期信号Ｖｓｙｎｃの発生を待ってステップＳ５からステップＳ７に進む。ステップＳ７では、映像モニタ１４の前方に存在する人物の顔を探索するべく、カメラ１２から出力された画像データに顔探索処理を施す。ステップＳ９では少なくとも１つの顔が発見されたか否かを顔探索処理の結果に基づいて判別し、判別結果がＮＯであればステップＳ５に戻る一方、判別結果がＹＥＳであればステップＳ１１に進む。
【００３７】
ステップＳ１１では発見された顔の数を最大値ＦＣｍａｘに設定し、ステップＳ１３では変数ＦＣを“１”に設定する。ステップＳ１５では、ＦＣ番目の顔が新規の顔に相当するか否かを判別し、判別結果がＹＥＳであればステップＳ１７に進む一方、判別結果がＮＯであればステップＳ２７に進む。ステップＳ１５の判別処理にあたっては、後述するステップＳ２１でテーブルＴＢＬ１に記述される人物の顔特徴が参照される。
【００３８】
ステップＳ１７では変数Ｋをインクリメントし、ステップＳ１９ではＫ番目のカラムに鑑賞時間（＝１）を記述する。ステップＳ２１ではＦＣ番目の顔の特徴をＫ番目のカラムに記述し、ステップＳ２３ではＦＣ番目の顔の属性（男ｏｒ女）をＫ番目のカラムに記述する。ステップＳ２３の処理が完了すると、“広告終了後にクーポンを配信します”の案内をステップＳ２５で映像モニタ１４に表示する。
【００３９】
一方、ステップＳ２７では、ＦＣ番目の顔に対応するカラムをテーブルＴＢＬ１から特定する。ステップＳ２９では、特定されたカラムに記述された鑑賞時間をインクリメントする。
【００４０】
ステップＳ２５またはＳ２９の処理が完了すると、ステップＳ３１で変数ＦＣをインクリメントし、変数ＦＣが最大値ＦＣｍａｘを上回るか否かをステップＳ３３で判別する。判別結果がＮＯであればステップＳ１５に戻る一方、判別結果がＹＥＳであればステップＳ３５に進む。ステップＳ３５では広告映像の提供が終了したか否かを判別し、判別結果がＮＯであればステップＳ５に戻る一方、判別結果がＹＥＳであればステップＳ３７に進む。
【００４１】
ステップＳ３７では変数Ｋが“０”を示すか否かを判別する。判別結果がＹＥＳであれば、広告映像を鑑賞した人物は一人も存在しないとみなし、処理を終了する。判別結果がＮＯであれば、少なくとも一人の人物が広告映像を鑑賞したとみなし、ステップＳ３９に進む。ステップＳ３９では、鑑賞時間が最も長い人物の見易い位置にクーポン発行案内を表示するべく、クーポン発行案内処理を実行する。
【００４２】
ステップＳ３９の処理が完了すると、タイマＴＭ１のリセット＆スタートをステップＳ４１で実行する。ステップＳ４３ではクーポン発生器１６に対してクーポン受け取り操作が行われたか否かを判別し、ステップＳ４５ではタイマＴＭ１にタイムアウトが発生したか否かを判別する。タイマＴＭ１にタイムアウトが発生すると、ステップＳ４５でＹＥＳと判断し、ステップＳ４７でテーブルＴＢＬ１の記述をクリアしてから処理を終了する。
【００４３】
クーポン受け取り操作が行われると、ステップＳ４３からステップＳ４９に進み、クーポン受け取り操作を行った操作者の顔特徴をカメラ１２から出力された画像データに基づいて検出する。ステップＳ５１では検出された顔特徴に共通する顔特徴をテーブルＴＢＬ１から探索し、ステップＳ５３では共通する顔特徴が発見されたか否かを判別する。
【００４４】
判別結果がＮＯであればクーポン受け取り操作を行った操作者は広告映像を鑑賞していない人物とみなし、ステップＳ４３に戻る。一方、共通する顔特徴がテーブルＴＢＬＬ１から発見されれば、クーポン受け取り操作を行った操作者に対してクーポンを配信するべく、ステップＳ５５に進む。
【００４５】
ステップＳ５５では、クーポン受け取り操作を行った操作者の鑑賞時間をテーブルＴＢＬ１から検出する。ステップＳ５７では検出された鑑賞時間が閾値ＴＨ１を上回るか否かを判別し、ステップＳ５９では検出された鑑賞時間が閾値ＴＨ２を上回るか否かを判別する。
【００４６】
ステップＳ５７でＹＥＳであれば、ステップＳ６１でクーポンのグレードを“Ａ”に設定する。ステップＳ５９でＹＥＳであれば、ステップＳ６３でクーポンのグレードを“Ｂ”に設定する。ステップＳ５７およびＳ５９のいずれもＮＯであれば、ステップＳ６５でクーポンのグレードを“Ｃ”に設定する。
【００４７】
ステップＳ６１，Ｓ６３またはＳ６５の処理が完了するとステップＳ６７に進み、クーポン受け取り操作を行った操作者の属性をテーブルＴＢＬ１から検出する。ステップＳ６９では、検出された属性に対応するクーポンを共通グレードの中から選択する。ステップＳ７１では選択されたクーポンを操作者が所持するＩＣカード２０に配信し、ステップＳ７３では操作者に対応するカラムの記述をクリアする。ステップＳ７３の処理が完了すると、ステップＳ４３に戻る。
【００４８】
図９に示すステップＳ３９のクーポン発行案内処理は、図１１に示すサブルーチンに従って実行される。ステップＳ８１では、鑑賞時間が最長の人物をテーブルＴＢＬ１を参照して特定する。ステップＳ８３では、特定された人物に適した位置に、“クーポンをこれから配信します”との案内を表示する。ステップＳ８３の処理が完了すると、上階層のルーチンに復帰する。
【００４９】
以上の説明から分かるように、映像モニタ１４は、広告映像をモニタ画面に表示する。カメラ１２は、モニタ画面の前方の被写界を表す画像を繰り返し出力する。制御装置１８は、モニタ画面に表示された広告映像を鑑賞する１または２以上の人物をカメラ１２から出力された画像を参照して探索し(S7)、これによって発見された１または２以上の人物をモニタ画面に表示された広告映像の終了時刻まで追跡する(S11~S23, S27~S35)。制御装置１８はまた、追跡結果に応じて異なるグレードを有するクーポンを追跡された１または２以上の人物の各々に対して発行する(S43, S49~S71)。
【００５０】
モニタ画面に表示された広告映像を鑑賞する人物が発見されると、発見された人物は広告映像の終了時刻まで追跡される。追跡された人物に対して発行されるクーポンの内容は、追跡結果に応じて異なる内容を有する。これによって、広告映像を鑑賞する人物の振る舞いを考慮した適応的なクーポン発行が実現され、広告効果の増大が図られる。
【００５１】
なお、この実施例では、鑑賞時間の長さを参照してクーポンのグレードを決定するようにしているが、鑑賞時間の長さに代えて或いは鑑賞時間の長さに加えて、人物の位置および／または人物の行動パターンを参照するようにしてもよい。また、この実施例では、人物の属性として性別を推定するようにしているが、性別に代えて或いは性別に加えて年齢を推定するようにしてもよい。
【符号の説明】
【００５２】
１０  …クーポン配信装置
１２  …カメラ
１４  …映像モニタ
１６  …クーポン配信器
１８  …制御装置
【図１】
2011118186.tif 000003
【図２】
2011118186.tif 000004
【図３】
2011118186.tif 000005
【図４】
2011118186.tif 000006
【図５】
2011118186.tif 000007
【図６】
2011118186.tif 000008
【図７】
2011118186.tif 000009
【図８】
2011118186.tif 000010
【図９】
2011118186.tif 000011
【図１０】
2011118186.tif 000012
【図１１】
2011118186.tif 000013